(57)【特許請求の範囲】
【請求項１】
埋設溝内に埋設物を敷設した後、埋戻材で埋め戻す埋設溝の埋め戻し工法において、
残土を主体とするスラリー状の高粘性の流動化処理土を埋設溝の一部に打設して堤体を構築し、
残土を主体とするスラリー状の低粘性の流動化処理土を前記堤体で画成された埋設溝内に埋戻材として充填することを特徴とする、
埋設溝の埋め戻し工法。
【請求項２】
埋設溝内に埋設物を敷設した後、埋戻材で埋め戻す埋設溝の埋め戻し工法において、
埋設溝を開削する工程と、
埋設溝内に埋設物を敷設する工程と、
残土を主体とするスラリー状の高粘性の流動化処理土を埋設溝の一部に打設して堤体を構築する工程と、
残土を主体とするスラリー状の低粘性の流動化処理土を前記堤体で画成された埋設溝内に埋戻材として充填する工程とを繰り返すことを特徴とする、
埋設溝の埋め戻し工法。
【請求項３】
請求項１又は請求項２において、高粘性の流動化処理土が残土と比重調整した泥状物と固化材の混練物であることを特徴とする、埋設溝の埋め戻し工法。
【請求項４】
請求項１又は請求項２において、低粘性の流動化処理土が残土と比重調整した泥状物と固化材の混練物であることを特徴とする、埋設溝の埋め戻し工法。
【発明の詳細な説明】
【０００１】
【産業上の技術分野】
本発明は上下水道管や各種ケーブルを埋設する埋設工法に関し、より詳細には建設現場から発生する産業廃棄物である残土を利用して埋設する、埋設溝の埋め戻し工法に関する。
【０００２】
【従来の技術】
土木建設現場で発生した残土の大半は廃棄処分されているが、その処分地不足から建設残土の処理が深刻な社会問題になっている。
この問題解決の一案として、この種の残土をスラリー化して溝の埋め立てに利用することが試みられている。
具体的には残土と固化材（例えばセメントなど）に加水して混合してスラリー化させ、これらのスラリー状物（以下「流動化処理土」という）を溝の埋戻材として利用するものである。
【０００３】
【発明が解決しようとする課題】
流動化処理土を埋戻材として利用する方法にあっては次のような改善すべき点がある。
＜イ＞  流動化処理土は含水率が極めて高いために、配管等の埋設物に浮力を生じさせてしまう。
そのため、別途に埋設物の浮力対策を講じる必要があり、現在のところ好適な浮力対策がない。
＜ロ＞  流動化処理土は粘性が低いために、溝の途上に土のうや堰を形成して流動化処理土の流出を防止する必要があり、土のうや堰を形成に多くの手数がかかる。
＜ハ＞  流動化処理土は大半が水で土砂の使用量が少ない。そのため残土の再利用率が低い。
【０００４】
本発明は以上の点に鑑みて成されたもので、その目的とするところは、残土の有効利用が図れ、しかも埋設物の浮力対策や流動化処理土の流出防止対策について特別な対策を必要とない、埋設溝の埋め戻し技術を提供することにある。
【０００５】
【問題点を解決するための手段】
本発明は、埋設溝内に埋設物を敷設した後、埋戻材で埋め戻す埋設溝の埋め戻し工法において、残土を主体とするスラリー状の高粘性の流動化処理土を埋設溝の一部に打設して堤体を構築し、残土を主体とするスラリー状の低粘性の流動化処理土を前記堤体で画成された埋設溝内に埋戻材として充填することを特徴とする、埋設溝の埋め戻し工法である。
さらに本発明は埋設溝内に埋設物を敷設した後、埋戻材で埋め戻す埋設溝の埋め戻し工法において、埋設溝を開削する工程と、埋設溝内に埋設物を敷設する工程と、残土を主体とするスラリー状の高粘性の流動化処理土を埋設溝の一部に打設して堤体を構築する工程と、残土を主体とするスラリー状の低粘性の流動化処理土を前記堤体で画成された埋設溝内に埋戻材として充填する工程とを繰り返すことを特徴とする、埋設溝の埋め戻し工法である。
さらに本発明は前記高粘性の流動化処理土が残土と比重調整した泥状物と固化材の混練物であることを特徴とする、埋設溝の埋め戻し工法である。
さらに本発明は前記低粘性の流動化処理土が残土と比重調整した泥状物と固化材の混練物であることを特徴とする、埋設溝の埋め戻し工法である。
【０００６】
【発明の実施の形態１】
以下、図面を用いながら本発明の実施の形態について説明する。
【０００７】
＜イ＞流動化処理土
まず本発明では粘性の異なる流動化処理土を▲１▼埋戻材として、▲２▼流動化処理土の流出を規制する堰堤として、▲３▼埋設物の浮力抵抗材として使用する。
流動化処理土は比重を均一に調整された泥状物と、建設現場で発生する残土等の被処理土とを混練したスラリー状物物、或いはこれらにセメント等の固化材を加えて混練した固化性のスラリー状物を意味する。
【０００８】
＜ロ＞泥状物
流動化処理土の構成素である「泥状物」は粘土、シルト、ベントナイト等を含む泥と水を配合要素とし、これらの混合体の比重を均一に調整した泥水を意味する。泥状物の比重は泥と水の混合比によって調整される。
すなわち現場発生の被処理土は泥状物の配合素としての他に、流動化処理土の配合素も兼ねており、具体的には建設現場で発生する残土の他に未硬化状態で回収した老泥水を含むものである。
尚、泥状物や流動化処理土の作成については、本発明者が先に出願した特開平５−１８２１０８号公報に開示してあるので説明を省略する。
【０００９】
【作用】
つぎに前記流動化処理土を用いた埋設物の埋設方法について説明する。
【００１０】
＜イ＞溝掘削・埋設物の敷設（図２）
公知の掘削機で以て埋設溝１を開削し、埋設溝１の底部に形成した敷砂２上にヒューム管等の埋設物３を敷設する。
埋設物３の敷設に際しては先行して埋設した埋設物３ａの端との接続部に十分な止水工を施しておく。
【００１１】
＜ロ＞堤体構築（図２，図３）
埋設物３の敷設を完了したら、埋設溝１の開削進行方向側に堤体４を構築する。  堤体４は既述した流動化処理土で粘性の高いもの（低比重の流動化処理土）を何層かに分けて或いは連続して山状に打設して構築する。堤体４の構築に使用する流動化処理土は吹き付け工法或いは型枠工法により構築し、少なくとも打設直後に自立できるだけの粘性を具備していれば良い。
打設した流動化処理土は埋設物３の端部近くの外周を被覆すると共に、埋設溝１の壁面の凹凸に密着して打設し、最終的に埋設溝１を２つに画成する。
堤体４を構成する流動化処理土としては例えば、泥状物の比重が１．０５〜１．１０程度で、泥状物の混合比が０．２前後とし、フロー値が８０〜１２０mmのものを使用できる。
尚、図２の図面右側の符号２ａは前回のスパンで構築した硬化した堤体である。
【００１２】
＜ハ＞埋め戻し（図１）
堤体４の構築を完了したら、堤体４，４ａで画成された埋設溝１内に低粘性（高比重）の流動化処理土を埋戻材５として充填する。
埋戻材５は埋設溝１を画成する堤体４によって流出が阻止され、埋設溝１の隅々に充填されてその液位を徐々に増していく。
埋戻材５の液位の上昇に伴い、埋設物３に発生する上向きの浮力Ｆも徐々に増していく。
この浮力Ｆは埋設物３の両端に載置する各堤体４，４ａの下向きの自重Ｗ，Ｗによって打ち消され、埋設物３の浮上が阻止される。
つまり堤体４は埋戻材５の流出を防止する堰として機能するだけでなく、埋設物３の浮力対抗部材としても機能することになる。
埋戻材５を構成する流動化処理土５としては例えば、泥状物の比重が１．０５〜１．１５の範囲で、泥状物の混合比が０．２〜０．４とし、フロー値が１００〜１４０mmのものを使用できる。
以下同様に、埋設溝１の掘削工程、埋設物３の敷設工程、堤体４の構築工程、埋戻工程を繰り返しながら、埋設物３を埋設して行く。
尚、実際に使用する流動化処理土は、土木建設現場の発生土の性質により適切な比重を選択する必要がある。
【００１３】
【発明の実施の形態２】
図４は堤体４と埋戻材５とを階層的に構築する他の実施例を示す。
施工方法について説明すると例えば、第１分割堤体４ｂを構築した後、第１分割堤体４ｂの高さまで第１埋戻材５ｂを充填し、次に第１分割堤体４ｂの頂部に第２分割堤体４ｃを増設した後、第１埋戻材５ｂの上部に第２埋戻材５ｃを充填する。以下同様に第２分割堤体４ｂの頂部に第３分割堤体４ｄを増設するといったように、所定の高さまで堤体４と埋戻材５とを何段階かに分けて構築していく。
【００１４】
【発明の効果】
本発明は、次のような効果を得ることができる。
＜イ＞  これまで処理が問題なっていた建設残土を流動化させることで埋戻材として有効に活用できる。
＜ロ＞  堤体も埋戻材も比重が異なるだけで、同種の流動化処理土を使用して施工することができる。
＜ハ＞  堤体と埋戻材が同種の流動化処理土であるために相互になじみが良く、施工後において高い一体性を確保できる。
＜ニ＞  堤体は埋戻材の締切材として機能するだけでなく、埋設物に発生する浮力に対抗する重錘部材として機能し、埋設物の浮力対策工を別途に必要としない。＜ホ＞  埋戻材は粘性の低い流動化処理土を使用するため、埋設溝の隅々まで充填でき、内部に空隙箇所を発生させない良好な埋戻が可能である。
【図面の簡単な説明】
【図１】埋戻材の充填時の説明図
【図２】堤体の構築工程の説明図
【図３】堤体箇所の横断面図
【図４】階層的に埋め戻す実施例２に係る説明図
【符号の説明】
１・・・埋設溝
２・・・敷砂
３・・・埋設物
４・・・堤体（粘性の高い流動化処理土）
５・・・埋戻材（粘性の低い流動化処理土）
【図１】
0003665833.tif 000002
【図２】
0003665833.tif 000003
【図３】
0003665833.tif 000004
【図４】
0003665833.tif 000005